(57)【要約】【課題】受信した画像データを処理するための部材の追加に何らかの制約がある装置であっても、このような部材を追加することなく、画像データを適切に処理する。【解決手段】テレビ１において、画像データ受信部２６が、ＩｒＳＳプロトコルにしたがって送信される写真データを受信し、動画データ保存用のバッファメモリ３４における、受信データ一時記憶部３６に保存する。すなわちバッファメモリ３４を、動画データの保存および画像データの保存の両方に用いている。動画データのデコード処理を実行するデコード部２２は、受信データ一時記憶部３６に記憶されている写真データＡをデコードし、展開済みデータとして、バッファメモリ３４の展開済みデータ一時記憶部３８に記憶させる。表示部２８は、展開済みデータ一時記憶部３８に記憶されている展開済みの写真データを、画面１０に表示する。【選択図】図１
2008205653.tif 000002
【特許請求の範囲】
【請求項１】
動画データを処理する部材を少なくとも１つ備えた画像データ処理装置であって、
画像データを受信する受信手段と、
上記受信した画像データを、上記部材を用いて処理する処理手段とを備えていることを特徴とする画像データ処理装置。
【請求項２】
上記部材の１つは、上記動画データを一時的に記憶するバッファメモリであり、
上記受信手段は、上記受信された画像データを上記バッファメモリに記憶させることを特徴とする請求項１に記載の画像データ処理装置。
【請求項３】
上記部材の１つは、上記動画データをデコードするデコード手段であり、
上記処理手段は、上記バッファメモリに記憶された上記画像データを、上記デコード手段を用いてデコードすることを特徴とする請求項２に記載の画像データ処理装置。
【請求項４】
上記バッファメモリに記憶された画像データを画面に表示する表示手段をさらに備えていることを特徴とする請求項２に記載の画像データ処理装置。
【請求項５】
上記画像データに含まれる画像情報を解析する画像情報解析手段をさらに備えており、
上記表示手段は、上記画像情報解析手段による解析結果に応じて、上記画像データを変形させて表示することを特徴とする請求項４に記載の画像データ処理装置。
【請求項６】
上記画像データが上記画面に表示されているときに、上記受信手段が他の画像データの受信を完了した場合、上記表示手段は、当該他の画像データを上記画像データの代わりに直ちに表示することを特徴とする請求項４に記載の画像データ処理装置。
【請求項７】
上記受信手段は、
上記画像データが上記画面に表示されているときに、他の画像データの受信を完了した場合、上記バッファメモリに記憶済みの上記画像データを削除し、代わりに上記バッファメモリに当該受信した他の画像データを記憶させることを特徴とする請求項４に記載の画像データ処理装置。
【請求項８】
上記表示手段が上記画像データの表示を他の表示に切り換えたあとに、上記バッファメモリに記憶済みの上記画像データを削除する削除手段を備えていることを特徴とする請求項４に記載の画像データ処理装置。
【請求項９】
放送中のテレビ番組を受信する受信手段をさらに備えており、
上記表示手段は、上記テレビ番組を上記画面に表示することを特徴とする請求項４に記載の画像データ処理装置。
【請求項１０】
上記テレビ番組の表示中に上記受信手段が上記画像データの受信を完了したとき、上記表示手段は、上記画面の表示を上記テレビ番組から上記受信した画像データに直ちに切り換えることを特徴とする請求項９に記載の画像データ処理装置。
【請求項１１】
上記テレビ番組の表示中に上記受信手段が上記画像データの受信を開始したとき、上記表示手段は、上記テレビ番組の表示を停止すると共に、上記画像データの送信を促すメッセージを上記画面に表示することを特徴とする請求項９に記載の画像データ処理装置。
【請求項１２】
上記テレビ番組の表示中に上記受信手段が上記画像データを受信しているとき、上記表示手段は、上記画像データが受信中であることを伝えるメッセージを上記画面に表示することを特徴とする請求項９に記載の画像データ処理装置。
【請求項１３】
上記テレビ番組の表示中に上記受信手段が上記画像データの受信を開始したとき、上記表示手段は、上記画像データの受信を受け付ける入力モードへの切り換えを促すメッセージを表示することを特徴とする請求項９に記載の画像データ処理装置。
【請求項１４】
上記テレビ番組の表示中に上記受信手段が上記画像データの受信を開始したとき、上記表示手段は、上記画面に、上記画像データの受信が不可であることを伝えるメッセージを表示することを特徴とする請求項９に記載の画像データ処理装置。
【請求項１５】
上記受信手段は、ＩｒＳＳプロトコルに従って送信された上記画像データを受信することを特徴とする請求項１に記載の画像データ処理装置。
【請求項１６】
動画データを処理する部材を少なくとも１つ備えた画像データ処理装置が実行する画像データ処理方法であって、
画像データを受信する受信ステップと、
上記受信した画像データを、上記部材を用いて処理する処理ステップとを備えていることを特徴とする画像データ処理方法。
【請求項１７】
請求項１から１５のいずれか１項に記載の画像データ処理装置を動作させるプログラムであって、コンピュータを上記の各手段として機能させるためのプログラム。
【請求項１８】
請求項１７に記載のプログラムを記録しているコンピュータ読み取り可能な記録媒体。
【発明の詳細な説明】
【技術分野】
【０００１】
本発明は、画像データ処理装置、画像データ処理方法、プログラム、および記録媒体に関する。
【背景技術】
【０００２】
従来、赤外線による画像の送受信機能は、主にモバイル端末（携帯電話、ＰＤＡ、ノートパソコンなど）同士において利用されてきた。近年では、この機能を、モバイル端末に限らず、テレビにも適用する流れが生まれている。たとえば非特許文献１には、テレビに高速赤外線通信アダプタをＤ端子ケーブルで接続し、携帯電話と前記高速赤外線通信アダプタをとを赤外線通信によって結び、携帯電話内の映像をテレビに表示する技術思想が開示されている。一方、特許文献１には、携帯電話などの第１機器としての携帯機器と表示装置などの第２機器としての電子機器とから構成され、携帯機器の記録媒体に記録されている任意のたとえば映像ファイル、画像データ、番組情報および文書データ（以下、単に「データ」という）などのファイルを選択し、電子機器の赤外線インターフェースに向けて送信する一方、該電子機器はその受信したデータを受け取り、表示するという技術思想が開示されている。
【特許文献１】国際特許公開第２００６／０１３９７号公報（公開日：２００６年２月９日）
【非特許文献１】ＩＴＭｅｄｉａ  ＋Ｄモバイル、「http://plusd.itmedia.co.jp/mobile/articles/0610/03/news072.html」（確認日：２００７年２月１６日）
【発明の開示】
【発明が解決しようとする課題】
【０００３】
しかし、上記した赤外線による送受信機能は、技術上および設計上の制約により、テレビなどの動画データ処理装置に実装するのは容易ではない。一般にテレビは放送番組の受信および再生を主に設計されるので、画像データの受信および表示のためのバッファメモリやデコード手段を内部に別途設けることに、技術上および設計上の制約が強くある。そのため現状では、かかる機能を有する外部装置をテレビに別途接続せざるを得ない。そのため無用な部品が増えてしまい、コストアップに繋がる。また、赤外線で受信したデータを表示させるためには、前記外部装置からの入力を表示するモードに切り換えておく必要があり、操作が煩雑になるという問題もある。一方、赤外線送受信機能を実現する部材をテレビ内部に組み込むことも、上記の制約がある以上は困難である。
【０００４】
本発明は、上記の問題点に鑑みてなされたものであり、その目的は、受信した画像データを処理するための部材の追加に何らかの制約がある装置であっても、このような部材を追加することなく、画像データを適切に処理する画像データ処理装置、画像データ処理方法、プログラム、および記録媒体を提供することにある。
【課題を解決するための手段】
【０００５】
（画像データ処理装置）
本発明に係る画像データ処理装置は、上記の課題を解決するために、
動画データを処理する部材を少なくとも１つ備えた画像データ処理装置であって、
画像データを受信する受信手段と、
上記受信した画像データを、上記部材を用いて処理する処理手段とを備えていることを特徴としている。
【０００６】
上記の構成によれば、画像データ処理装置は、受信した画像データを処理する部材と、テレビ番組などの動画データを処理する部材とを共有している。たとえば、画像データを受信したとき、動画データを一時的に保存しているバッファメモリに、当該受信した画像データを上書き保存する。あるいは、受信した画像データをデコードする際、動画データ用のデコーダを利用する。
【０００７】
以上のように、画像データ処理装置は、画像データを処理するための特別の部材を、別途、必要としない。したがって、たとえばテレビなどのように、受信した画像データを処理するための部材の追加に何らかの制約がある装置であっても、このような部材を追加することなく、画像データを適切に処理できる効果を奏する。また、画像データの処理機能と動画データの処理機能との無駄な重複を回避できる。
【０００８】
（画像データ処理方法）
本発明に係る画像データ処理方法は、上記の課題を解決するために、
動画データを処理する部材を少なくとも１つ備えた画像データ処理装置が実行する画像データ処理方法であって、
画像データを受信する受信ステップと、
上記受信した画像データを、上記部材を用いて処理する処理ステップとを備えていることを特徴としている。
【０００９】
上記の構成によれば、本発明に係る画像データ処理装置と同様の作用および効果を奏する。
【００１０】
（バッファメモリを共有）
また、本発明に係る画像データ処理装置では、さらに、
上記部材の１つは、上記動画データを一時的に記憶するバッファメモリであり、
上記受信手段は、上記受信された画像データを上記バッファメモリに記憶させることが好ましい。
【００１１】
上記の構成によれば、画像データ処理装置は、動画データの保存および画像データの保存に、同じバッファメモリを利用する。すなわちバッファメモリを共有する。したがって、画像データ保存用の特別なバッファメモリを別途必要とせずに済む効果を奏する。
【００１２】
（デコード手段を共有）
また、本発明に係る画像データ処理装置では、さらに、
上記部材の１つは、上記動画データをデコードするデコード手段であり、
上記処理手段は、上記バッファメモリに記憶された上記画像データを、上記デコード手段を用いてデコードすることが好ましい。
【００１３】
上記の構成によれば、画像データ処理装置は、動画データのデコードと、画像データの動画データとに、同じデコード手段を利用する。すなわちデコード手段を共有する。したがって、画像データデコード用の特別なデコード手段を、別途必要とせずに済む効果を奏する。
【００１４】
（画像データの表示）
また、本発明に係る画像データ処理装置では、さらに、
上記バッファメモリに記憶された上記画像データを画面に表示する表示手段をさらに備えていることが好ましい。
【００１５】
上記の構成によれば、受信した画像データを適切に画面に表示でき、ユーザに閲覧させることができる効果を奏する。
【００１６】
（画像情報の利用）
また、本発明に係る画像データ処理装置では、さらに、
上記画像データに含まれる画像情報を解析する画像情報解析手段をさらに備えており、
上記表示手段は、上記画像情報解析手段による解析結果に応じて、上記画像データを変形させて表示することが好ましい。
【００１７】
上記の構成によれば、画像データ処理装置は、たとえば、画像情報に応じて画像データを変形させて表示する。たとえば、画像情報として回転に関する情報があれば、その情報に定義されたパラメータに応じて画像データを回転させて表示する。
【００１８】
以上のように、画像データ処理装置は、ユーザの明示的な指示がなくとも、画像データを規定の設定に応じた状態にして表示できる効果を奏する。
【００１９】
（他の画像データの表示）
また、本発明に係る画像データ処理装置では、さらに、
上記画像データが上記画面に表示されているときに、上記受信手段が他の画像データの受信を完了した場合、上記表示手段は、当該他の画像データを上記画像データの代わりに直ちに表示することが好ましい。
【００２０】
上記の構成によれば、他の画像をユーザにすばやく閲覧させることができる効果を奏する。また、ユーザは、他の画像データの表示指示操作をいちいち入力する必要がなくなる。
【００２１】
（他の画像データ受信後にメモリから削除）
また、本発明に係る画像データ処理装置では、さらに、
上記受信手段は、
上記画像データが上記画面に表示されているときに、他の画像データの受信を完了した場合、上記バッファメモリに記憶済みの上記画像データを削除し、代わりに上記バッファメモリに当該受信した他の画像データを記憶させることが好ましい。
【００２２】
上記の構成によれば、他の画像データの受信を完了したあとに、それまで表示していた画像データの処理（たとえば再表示）ができなくなる。したがって、画像データのプライバシーを保護できる効果を奏する。たとえば画像データ処理装置を組み込んだテレビの店頭販売時に、第１のユーザが個人的な画像データを当該テレビに送信して表示させたあと、第２のユーザが他の画像データを同様にして表示させた場合、第１のユーザが送信した画像データをテレビは再び表示できなくなる。これにより店頭のテレビを一時的に試しただけの第１のユーザが、自身が表示させた個人的な画像を、第２のユーザを含む他の人に後で見られてしまうことがない。これにより第１のユーザはプライバシーを確保できるので、安心して画像データの送信および表示機能を試すことができる。
【００２３】
（表示切換後にメモリから削除）
また、本発明に係る画像データ処理装置では、さらに、
上記表示手段が上記画像データの表示を他の表示に切り換えたあとに、上記バッファメモリに記憶済みの上記画像データを削除する削除手段を備えていることが好ましい。
【００２４】
上記の構成によれば、画像データ処理装置は、画像データの表示を一度でも止めると、再び同じ画像データを表示できなくなる。したがって、表示済み画像データのプライバシーを確保できる。たとえば画像データ処理装置を組み込んだテレビの店頭販売時に、第１のユーザが個人的な画像データを当該テレビに送信して表示させたあと、第２のユーザが他の画像データを同様にして表示させた場合、第１のユーザが送信した画像データをテレビは再び表示できなくなる。これにより店頭のテレビを一時的に試しただけの第１のユーザが、自身が表示させた個人的な画像を、第２のユーザを含む他の人に後で見られてしまうことがない。これにより第１のユーザはプライバシーを確保できるので、安心して画像データの送信および表示機能を試すことができる。
【００２５】
（テレビ機能の兼用）
また、本発明に係る画像データ処理装置は、さらに、
放送中のテレビ番組を受信する受信手段をさらに備えており、
上記表示手段は、上記テレビ番組を上記画面に表示することが好ましい。
【００２６】
上記の構成によれば、画像データ処理装置をテレビとして実現できる効果を奏する。一般にテレビは放送番組の受信および再生を主に設計されるものなので、画像データの受信および表示のためのバッファメモリやデコード手段を別途設けることに、技術上および設計上の制約が強くかかる。しかし本構成の画像データ処理装置では、これらの制約に縛られることなく、画像データを適切に受信しかつ再生できる機能を、通常のテレビ機能に加えて兼ね備えることができる。
【００２７】
（画像データを受信してすぐに表示）
また、本発明に係る画像データ処理装置では、さらに、
上記テレビ番組の表示中に上記受信手段が上記画像データの受信を完了したとき、上記表示手段は、上記画面の表示を上記テレビ番組から上記受信した画像データに直ちに切り換えることが好ましい。
【００２８】
上記の構成によれば、ユーザは、テレビ番組の視聴中に、外部入力へ切り換える操作などの準備をしなくても、所望の画像データをすばやく閲覧できる効果を奏する。
【００２９】
（待ちうけ画面への切換）
また、本発明に係る画像データ処理装置では、さらに、
上記テレビ番組の表示中に上記受信手段が上記画像データの受信を開始したとき、上記表示手段は、上記テレビ番組の表示を停止すると共に、上記画像データの送信を促すメッセージを上記画面に表示することが好ましい。
【００３０】
上記の構成によれば、視聴中のテレビ番組がいきなり画像データの表示に切り換わることがないので、ユーザが戸惑うことを防止できる。
【００３１】
（受信中のメッセージ）
また、本発明に係る画像データ処理装置では、
上記テレビ番組の表示中に上記受信手段が上記画像データを受信しているとき、上記表示手段は、上記画像データが受信中であることを伝えるメッセージを上記画面に表示することが好ましい。
【００３２】
上記の構成によれば、ユーザは、画像データの受信が正常に進行していることを随時、確認できる効果を奏する。
【００３３】
（入力切換を促すメッセージ）
また、本発明に係る画像データ処理装置では、さらに、
上記テレビ番組の表示中に上記受信手段が上記画像データの受信を開始したとき、上記表示手段は、上記画像データの受信を受け付ける入力モードへの切り換えを促すメッセージを表示することが好ましい。
【００３４】
上記の構成によれば、視聴中のテレビ番組がいきなり画像データの表示に切り換わることがないので、ユーザが戸惑うことを防止できる。
【００３５】
（受信不可であることを伝えるメッセージ）
また、本発明に係る画像データ処理装置では、さらに、
上記テレビ番組の表示中に上記受信手段が上記画像データの受信を開始したとき、上記表示手段は、上記画面に、上記画像データの受信が不可であることを伝えるメッセージを表示することが好ましい。
【００３６】
上記の構成によれば、テレビ番組の視聴を妨げることを防止できる効果を奏する。
【００３７】
（ＩｒＳＳプロトコル）
また、本発明に係る画像データ処理装置では、さらに、
上記受信手段は、ＩｒＳＳプロトコルに従って送信された上記画像データを受信することが好ましい。
【００３８】
上記の構成によれば、画像データ処理装置が画像データを高速に受信できる効果を奏する。
【発明の効果】
【００３９】
以上のように、本発明に係る画像データ処理装置は、画像データを受信する受信手段と、上記受信した画像データを、動画データを処理する部材を用いて処理する処理手段とを備えているため、受信した画像データを処理するための部材の追加に何らかの制約がある装置であっても、このような部材を追加することなく、画像データを適切に処理できる効果を奏する。
【発明を実施するための最良の形態】
【００４０】
（システムの構成）
まず、本実施形態に係るシステムの構成を図２に示す。図２は、本発明の一実施形態に係るシステムの要部構成を示すブロック図である。この図に示すように、本システムは、テレビ１、携帯電話機２、およびリモコン４によって構成されている。
【００４１】
テレビ１は、ＩｒＳＳ受光部６およびリモコン受光部８を、画面１０の下部に備えている（図２）。ユーザは、リモコン４を用いてテレビ１を操作する。リモコン４は、操作入力に応じた信号を、赤外線通信プロトコル（ＩｒＤＡ）に従って送信する。テレビ１は、当該信号をリモコン受光部８を通じて受信し、受信信号に応じた処理を実行する。
【００４２】
ユーザは、携帯電話機２を用いて写真を撮影する。携帯電話機２は、撮影された写真を表す写真データ（画像データ）を生成し、内部のメモリに記憶させる。携帯電話機２は、ユーザの操作に応じて、写真データをテレビ１にＩｒＳＳ（登録商標）に従ったプロトコルによって送信する。ＩｒＳＳはＩｒＳｉｍｐｌｅの一種であり、送信側と受信側とにおいてネゴシエーションをしない片方向の通信プロトコルである。
【００４３】
テレビ１は、携帯電話機２から受信された写真データを、ＩｒＳＳ受光部６を通じて受信し、受信が正常に完了した場合、画面１０に直ちに表示する。したがってユーザは、携帯電話機２を用いて撮影した写真データを、簡単な操作によってテレビ１の画面１０においてすばやく閲覧できる。なお、本実施形態のテレビ１は、ベースラインＪＰＥＧ形式の写真データの表示に対応している。また、ＩｒＳＳ受光部６がテレビ１の本体に一体化されているので、ＩｒＳＳ受光部６を備えた外部装置を別途、テレビ１に接続する必要は生じない。
【００４４】
（テレビ１の詳細構成）
テレビ１の詳細構成を図１に示す。図１は、本発明の一実施形態に係るテレビ１の要部構成を示すブロック図である。この図に示すように、テレビ１は、アンテナ１２、チューナ１４、ＤＥＭＵＸ１６、ＤＳＰ１８、音声再生部２０、デコード部２２、制御信号受信部２４、画像データ受信部２６、表示部２８、画像情報解析部３０、コマンド解析部３２、およびバッファメモリ３４を備えている。ここで、バッファメモリ３４には、受信データ一時記憶部３６および展開済みデータ一時記憶部３８が設けられている。
【００４５】
これらの部材の機能および処理については、それぞれ後述する。なお、テレビ１において、図示しない制御部がこれらの各部材を統括的に制御する。
【００４６】
（入力切換メニュー）
携帯電話機２内の写真データをテレビ１に表示させるとき、ユーザは、まず、リモコン４を操作して、入力切換メニューの表示を選択する。リモコン４からの信号を、テレビ１において制御信号受信部２４が受信し、受信結果を表示部２８に通知する。表示部２８は、受信結果に基づき、入力切換メニューを画面１０に表示する（図３）。図３は、入力切換メニューを表示した画面１０を示す図である。
【００４７】
この図に示すように、画面１０に表示される入力切換メニューは、１０個の項目を含んでいる。そのうちの１つが「ＩｒＳＳ」である。ユーザがリモコン４を操作して「ＩｒＳＳ」を選択すれば、テレビ１の入力モード（外部入力）は、ＩｒＳＳに従って送信される写真データの受信を受け付けるモードに切り換わる。そこでユーザは、携帯電話機２から写真データを送信する前に、リモコン４を用いて、図３の入力切換メニューから明示的に「ＩｒＳＳ」を選択する。
【００４８】
「ＩｒＳＳ」の選択後、表示部２８は、ＩｒＳＳ受信の待ちうけ画面を画面１０に表示する。具体的には、写真データの送信を促すメッセージを画面１０に表示する（図４）。図４は、写真データの送信を促すメッセージを表示した画面１０を示す図である。なお、この待ちうけ画面に、ＩｒＳＳ受光部６の位置を示す絵または文字を表示してもよい。
【００４９】
図４のメッセージを確認したユーザは、現在、テレビ１に写真データを送信できる状態にあることを認識する。そして、携帯電話機２からテレビ１に送信させる写真データを１つ選択し、携帯電話機２に設けられた送信ボタンを押下する。この押下を受け付けると、携帯電話機２は、ユーザによって指定された写真データを、ＩｒＳＳプロトコルに従ってテレビ１に送信する。
【００５０】
（写真データの受信処理）
テレビ１における写真データの受信処理の流れを、図５に示す。図５は、テレビ１における写真データの受信処理の流れを示すフローチャートである。この図に示すように、テレビ１において、画像データ受信部２６が、ＩｒＳＳ受光部６を通じた写真データの受信を開始する。このとき画像データ受信部２６は、受信した写真データを解析することによって、当該データがＩｒＳＳに従ったものか否かを判定する（ステップＳ１）。ステップＳ１における判定の結果が「偽」であるとき（ＮＯ）、たとえば、受信データがＩｒＤＡに従ったものだと画像データ受信部２６が判定したときに、表示部２８は、ＩｒＳＳに対応した写真データの送信を求めるメッセージを画面１０に表示する（ステップＳ２）。
【００５１】
一方、ステップＳ１における判定の結果が「真」であるとき（ＹＥＳ）、たとえば、ＩｒＳＳのヘッダが受信データ内にあることを画像データ受信部２６が確認したとき、表示部２８は、写真データの受信中を伝えるメッセージを画面１０に表示する（ステップＳ３、図６）。図６は、写真データの受信中を伝えるメッセージを表示した画面１０を示す図である。
【００５２】
写真データの受信中において、画像データ受信部２６は、随時、写真データの受信が終了したか否かを判定する（ステップＳ４）。ステップＳ４における判定の結果が「真」であるとき（ＹＥＳ）、テレビ１は、写真データの画像処理を開始する（ステップＳ５）。この処理の詳細は後述する。
【００５３】
一方、ステップＳ４における判定の結果が「偽」であるとき（ＮＯ）、画像データ受信部２６は、規定時間以内に規定サイズ（２ＫＢ）のデータを受信したか否かを判定する（ステップＳ６）。ステップＳ６における判定の結果が「偽」であるとき（ＮＯ）、表示部２８は、写真データの送信機器（すなわち携帯電話機２）をＩｒＳＳ受光部６に近づけて写真データを送信することを促すメッセージを、画面１０に表示する（ステップＳ７）。
【００５４】
一方、ステップＳ６における判定の結果が「真」であるとき（ＹＥＳ）、画像データ受信部２６は、受信データの規定単位（６４ＫＢ）が３０秒以内に受信データ一時記憶部３６に蓄積されたか否かを判定する（ステップＳ８）。ステップＳ８における判定の結果が「偽」であるとき（ＮＯ）、表示部２８は、写真データの送信機器（すなわち携帯電話機２）がＩｒＳＳに対応しているか否かの確認を求めるメッセージを、画面１０に表示する（ステップＳ９）。
【００５５】
一方、ステップＳ８における判定の結果が「真」であるとき（ＹＥＳ）、画像データ受信部２６は、受信済みデータの合計サイズが規定の基準サイズ（たとえば３．５ＭＢ）を超えていないか否かを判定する（ステップＳ１０）。ステップＳ１０における判定の結果が「偽」であるとき（ＮＯ）、表示部２８は、受信した写真データのサイズが大きすぎ、正常に処理できない旨を伝えるメッセージを画面１０に表示する（ステップＳ１１）。
【００５６】
一方、ステップＳ１０における判定の結果が「真」であるとき（ＹＥＳ）、図５の処理はステップＳ４に戻る。すなわち、写真データの受信が正常に完了するか、または何らかのエラーが発生するまで、テレビ１は、図５の各処理を繰り返し実行する。
【００５７】
（写真データの表示処理）
画像データ受信部２６は、受信した写真データを受信データ一時記憶部３６に保存する。デコード部２２は、受信データ一時記憶部３６に記憶されている写真データをデコードして展開済みデータを生成し、展開済みデータ一時記憶部３８に記憶させる。表示部２８は、展開済みデータ一時記憶部３８に展開された展開済みの写真データを、画面１０に表示する。この処理の流れを図７に示す。図７は、テレビ１における写真データのデコード処理の流れを示すフローチャートである。
【００５８】
この図に示すように、まず、コマンド解析部３２が、受信データ一時記憶部３６に記憶されているデータがコマンドファイルか否かを判定する（ステップＳ２０）。ステップＳ２０における判定の結果が「真」であるとき（ＹＥＳ）、たとえば規定のコマンドが定義されていることを受信データ一時記憶部３６内のデータに確認したとき、コマンド解析部３２は、解析結果に応じたコマンドを処理する（ステップＳ２１）。
【００５９】
一方、ステップＳ２０における判定の結果が「偽」であるとき（ＮＯ）、すなわち、受信データ一時記憶部３６内のデータがコマンドファイルではなかった場合、デコード部２２が、受信データ一時記憶部３６に記憶されている写真データのヘッダを解析する（ステップＳ２２）。ステップＳ２２においてヘッダの解析に失敗した場合、表示部２８は、写真データの表示が不可であることを伝えるメッセージを、画面１０に表示する（ステップＳ２３、図８）。受信データがコマンドファイルでもなく写真データでもなかった場合（たとえば動画データ）には、このヘッダ解析において失敗する。図８は、写真データの表示不可を伝えるメッセージを表示した画面１０を示す図である。
【００６０】
一方、ステップＳ２２においてヘッダの解析に成功した場合、デコード部２２は、写真データがペースラインＪＰＥＧか否かを判定する。ステップＳ２１における判定の結果が「偽」であるとき（ＮＯ）、表示部２８は、データ形式が対応していないために写真データを表示できないことを伝えるメッセージを、画面１０に表示する（ステップＳ２５）。
【００６１】
一方、ステップＳ２４における判定の結果が「真」であるとき（ＹＥＳ）、デコード部２２は、写真データにおけるＹＣｂＣｒが特定の割合かどうかを判定する。たとえば、ＹＣｂＣｒ＝４：２：０または４：２：２か否かを判定する（ステップＳ２６）。ステップＳ２６における判定の結果が「偽」であるとき（ＮＯ）、表示部２８は、データ形式が対応していないために写真データを表示できないことを伝えるメッセージを、画面１０に表示する（ステップＳ２５）。
【００６２】
ステップＳ２６における判定の結果が「真」であるとき（ＹＥＳ）、写真データにおけるＣｂＣｒ成分のテーブルを判定する（ステップＳ２７）。ステップＳ２７において、デコード部２２が成分の少なくとも一部が一致しないと判定したとき、表示部２８は、データ形式が対応していないために写真データを表示できないことを伝えるメッセージを、画面１０に表示する（ステップＳ２５）。
【００６３】
ステップＳ２７において、成分の全てが一致すると判定したとき、デコード部２２は、つぎに、写真データの幅および高さが、規定の値以内か否かを判定する（ステップＳ２８）。本実施形態では、幅の規定値は４０９６ピクセルであり、かつ、高さの規定値は２１６０ピクセルである。ステップＳ２８における判定の結果が「偽」であるとき（ＮＯ）、表示部２８は、写真のサイズが規定値を超えている旨を伝えるメッセージを画面１０に表示する（ステップＳ２９）。
【００６４】
一方、ステップＳ２８における判定の結果が「真」であるとき（ＹＥＳ）、画像情報解析部３０が、写真データ内の画像情報、すなわちＪＰＥＧのＥＸＩＦタグを解析することによって、画像の回転に関する情報を取得する（ステップＳ３０）。この取得結果を、デコード部２２に通知する。
【００６５】
デコード部２２は、受信データ一時記憶部３６に保存されている写真データのデコードを試みる。そして、デコードに成功したか否かを判定する（ステップＳ３１）。デコード部２２がデコードに失敗した場合、表示部２８は、写真データを表示できない旨を伝えるメッセージを、画面１０に通知する（ステップＳ３２、図８）。また、デコード部２２は、受信データ一時記憶部３６に記憶されている写真データを、完全に消去する。
【００６６】
一方、デコードに成功した場合、デコード部２２が、デコードした写真データを展開済みデータ一時記憶部３８に展開する。これにより、表示部２８は、展開済みデータ一時記憶部３８に展開されている展開済みデータを、図９に示すように、画像として画面１０に表示する（ステップＳ３３）。図９は、写真データおよび操作ガイダンスを表示した画面１０を示す図である。この図に示すように、表示部２８は、写真データを表示するとき、同時に、操作ガイダンスを画面１０の下部に表示する。
【００６７】
（エラーメッセージの表示）
テレビ１は、写真データの受信に際し、何らかのエラーが生じたと判定したとき、発生したエラーに相応する所定のエラーメッセージを図１０の対応表に従って選択し、画面１０に表示する。図１０は、エラーの内容とエラーメッセージとの対応表である。この対応表は、テーブルデータとして、テレビ１にあらかじめ記憶されている。
【００６８】
何らかの原因によって画像データ受信部２６が写真データの受信を中止したとき、表示部２８は、写真データの受信中止を伝えるメッセージを画面１０に表示する（図１１）。図１１は、写真データの受信中止を伝えるメッセージを表示したを表示した画面１０を示す図である。また、テレビ１が低温環境下にある場合に、表示パネルからの赤外線放射が多く、ＩｒＳＳ信号に無視できないノイズが混入することがある。そこでテレビ１は、このようなノイズが規定値を超えるとき、ノイズが多いために写真データを処理する機能（受信および表示機能）が不可であることを伝えるメッセージを画面１０に表示する（図１２）。図１２は、写真データの処理機能の使用不可を伝えるメッセージを表示した画面１０を示す図である。
【００６９】
さらに、そもそもテレビ１においてＩｒＳＳの機能自体が無効である場合、たとえば上述した画像データ受信部２６を司るアプリケーションが起動しない場合には、表示部２８は、ＩｒＳＳの機能不全（エラー）を伝えるメッセージを画面１０に表示する（図１３）。図１３は、ＩｒＳＳエラーを伝えるメッセージを表示した画面１０を示す図である。
【００７０】
なお、表示部２８は、これらのエラーメッセージを、表示後に規定時間が経過したら消去する。このとき、表示中の写真データは消さず、そのまま継続表示する。
【００７１】
（テレビ１の利点）
以上のように、テレビ１は、受信した写真データを処理する部材と、テレビ番組などの動画データを処理する部材とを共有している。たとえば、写真データを受信したとき、動画データを一時的に保存しているバッファメモリ３４に、当該受信した写真データを上書き保存する。あるいは、受信した写真データをデコードする際、動画データ用のデコード部２２を利用する。
【００７２】
これによりテレビ１は、写真データを処理するための特別の部材を、別途、必要としない。したがって、受信した写真データを処理するための部材の追加に何らかの制約がある装置であっても、このような部材を追加することなく、写真データを適切に処理できる。また、写真データの処理機能と動画データの処理機能との無駄な重複を回避できる。
【００７３】
（写真データ処理方法）
さらに、本発明に係る画像データ処理方法は、動画データを処理する部材を少なくとも１つ備えたテレビ１が実行する写真データ処理方法であって、写真データを受信する受信ステップと、受信した写真データを、部材を用いて処理する処理ステップとを備えている。
【００７４】
（バッファメモリ３４を共有）
また、動画データを処理する部材の１つは、動画データを一時的に記憶するバッファメモリ３４であり、画像データ受信部２６は、受信した写真データをバッファメモリ３４に記憶させる。これにより、テレビ１は、動画データの保存および写真データの保存に、同じバッファメモリ３４を利用する。すなわちバッファメモリ３４を共有する。したがって、写真データ保存用の特別なバッファメモリ３４を別途必要とせずに済む。
【００７５】
（デコード部２２を共有）
また、動画データを処理する部材の１つは、動画データをデコードするデコード部２２であり、
テレビ１は、バッファメモリ３４の受信データ一時記憶部３６に記憶された写真データを、デコード部２２を用いてデコードする。これによりテレビ１は、動画データのデコードと、写真データのデコードとに、同じデコード部２２を利用する。すなわちデコード部２２を共有する。したがって、写真データデコード用の特別なデコード部を、別途必要とせずに済む。
【００７６】
（写真データの表示）
また、テレビ１は、写真データを画面１０に表示する表示部２８をさらに備えている。これによりテレビ１は、受信した写真データを適切に画面１０に表示でき、ユーザに閲覧させることができる。
【００７７】
（画像情報の利用）
また、テレビ１は、写真データに含まれる画像情報を解析する画像情報解析部３０をさらに備えており、表示部２８は、画像情報解析部３０による解析結果に応じて、写真データを変形させて表示する。これによりテレビ１は、たとえば、画像情報に応じて写真データを変形させて表示する。たとえば、画像情報として回転に関する情報があれば、その情報に定義されたパラメータに応じて写真データを回転させて表示する。したがってテレビ１は、ユーザの明示的な指示がなくとも、写真データを規定の設定に応じた状態にして表示できる。
【００７８】
（他の写真データの表示）
また、写真データが画面１０に表示されているときに、画像データ受信部２６が他の写真データの受信を完了した場合、表示部２８は、当該他の写真データを写真データの代わりに直ちに表示する。これにより、他の画像をユーザにすばやく閲覧させることができる。また、ユーザは、他の写真データの表示指示操作をいちいち入力する必要がなくなる。
【００７９】
（他の写真データ受信後にメモリから削除）
また、画像データ受信部２６は、写真データが画面１０に表示されているときに、他の写真データの受信を完了した場合、バッファメモリ３４に記憶済みの写真データを削除し、代わりにバッファメモリ３４の受信データ一時記憶部３６に、当該受信した他の写真データを記憶させる。これにより、他の写真データの受信を完了したあとに、それまで表示していた写真データの処理（たとえば再表示）ができなくなる。したがって、写真データのプライバシーを保護できる。たとえばテレビ１の店頭販売時に、第１のユーザが個人的な写真データを当該テレビ１に送信して表示させたあと、第２のユーザが他の写真データを同様にして表示させた場合、第１のユーザが送信した写真データをテレビ１は再び表示できなくなる。これにより店頭のテレビ１を一時的に試しただけの第１のユーザが、自身が表示させた個人的な画像を、第２のユーザを含む他の人に後で見られてしまうことがない。これにより第１のユーザはプライバシーを確保できるので、安心して写真データの送信および表示機能を試すことができる。
【００８０】
（表示切換後にメモリから削除）
また、テレビ１は、表示部２８が写真データの表示を他の表示に切り換えたあとに、バッファメモリ３４に記憶済みの写真データを削除する。これによりテレビ１は、写真データの表示を一度でも止めると、再び同じ写真データを表示できなくなる。したがって、表示済み写真データのプライバシーを確保できる。たとえばテレビ１を組み込んだテレビ１の店頭販売時に、第１のユーザが個人的な写真データを当該テレビ１に送信して表示させたあと、第２のユーザが他の写真データを同様にして表示させた場合、第１のユーザが送信した写真データをテレビ１は再び表示できなくなる。これにより店頭のテレビ１を一時的に試しただけの第１のユーザが、自身が表示させた個人的な画像を、第２のユーザを含む他の人に後で見られてしまうことがない。これにより第１のユーザはプライバシーを確保できるので、安心して写真データの送信および表示機能を試すことができる。
【００８１】
（ＩｒＳＳプロトコル）
また、画像データ受信部２６は、ＩｒＳＳプロトコルに従って送信された写真データを受信する。これにより、画像データ処理装置が画像データを高速に受信できる。
【００８２】
（操作ガイダンス）
上述するように、表示部２８は、写真データと同時に操作ガイダンスを画面１０にする。ユーザは、操作ガイダンスを参照しながらリモコン４の各種ボタンを押下することによって、テレビ１を操作する。リモコン４には、図示しない５つのボタン、すなわち青色ボタン、赤色ボタン、緑色ボタン、黄色ボタン、および戻るボタンが設けられている。たとえばユーザがリモコン４の青色ボタンを押せば、表示部２８は、写真データの表示中に操作ガイダンスの表示を消去し、写真データのみを表示する（図１４）。図１４は、写真データの表示中に操作ガイダンスを消去した状態の画面１０を示す図である。また、ユーザがリモコン４の戻るボタンを押下すれば、表示部２８は、写真データの表示を消し、ＩｒＳＳ受信の待ちうけ画面を画面１０に表示する。さらに、デコード部２２が、受信データ一時記憶部３６に記憶されている写真データを完全に削除する。
【００８３】
（他の写真データの受信および表示）
ユーザは、写真データの表示中に、他の写真データを携帯電話機２からテレビ１に送信することもできる。すなわちテレビ１は、写真データの表示中に、別途送られてくる他の写真データを受信し、表示済みの写真データに代えて表示することができる。以下では、表示済みの写真データを「写真データＡ」と記載し、かつ、他の写真データを「写真データＢ」と表現する。
【００８４】
テレビ１が写真データＡを表示中に、ユーザが携帯電話機２を用いて写真データＢの送信を指示すると、携帯電話機２は、指定された写真データＢをテレビ１に送信する。このとき、テレビ１の画像データ受信部２６が写真データＢの受信を開始する。すると表示部２８は、写真データＡの表示中に、写真データＢを受信していることを伝えるメッセージを画面１０に表示する（図１５）。図１５は、受信済みの写真データＡに、新たな写真データＢの受信中を伝えるメッセージを重ねて表示した画面１０を示す図である。
【００８５】
一方、写真データＢの受信に問題があれば、表示部２８は、写真データＢの受信中止を伝えるメッセージを画面１０に表示する（図１６）。図１６は、受信済みの写真データＡに、新たな写真データＢの受信中止を伝えるメッセージを重ねて表示した画面１０を示す図である。さらに、写真データＢの表示が不可の場合は、その旨を伝えるメッセージを画面１０に表示する（図１７）。図１７は、受信済みの写真データＡに、新たな写真データＢの表示不可を伝えるメッセージを重ねて表示した画面１０を示す図である。また、写真データＢの受信に成功すれば、表示済みの写真データＡに代えて表示する（図１８）。図１８は、新たな写真データＢおよび操作ガイダンスを表示した画面１０を示す図である。
【００８６】
なお、テレビ１は、操作ガイダンスの表示または非表示の設定を、写真データの表示中に保持することができる。すなわち表示部２８は、ある写真データを操作ガイダンス無しに表示しているとき、他の写真データを受信した場合、当該他の写真データを操作ガイダンス無しに画面１０に表示する。
【００８７】
（画像データの回転表示）
受信した写真データに、写真データの回転処理についての情報が（ｏｒｉｅｎｔａｔｉｏｎタグ）含まれている場合、テレビ１は、当該タグの内容に応じて、写真データを回転して表示する。図１９は、ｏｒｉｅｎｔａｔｉｏｎタグの値と、値に応じた表示処理の内容との対応表である。テレビ１において、画像情報解析部３０が、受信された写真データにおけるｏｒｉｅｎｔａｔｉｏｎタグの有無を判定する。タグを検出した場合、画像情報解析部３０は、タグ情報をデコード部２２に伝える。デコード部２２は、入力されたタグ情報に応じた処理内容を図１９の対応表から特定し、当該特定した処理を、デコード対象の写真データに施す。
【００８８】
また、テレビ１では、ユーザによる明示的な操作に応じて、写真データを回転表示させることもできる。ユーザがリモコン４の黄色ボタンまたは緑色ボタンを押した場合、リモコン４は、回転に関する制御信号をテレビ１に出力する。テレビ１において当該信号を制御信号受信部２４が受信し、表示部２８に伝える。表示部２８は、入力された制御信号に応じて、表示済みの写真データＡを回転表示する。写真データＢの回転表示例を図２０（ａ）〜図２０（ｂ）に示す。図２０（ａ）は、写真データをそのまま表示した画面１０を示す図である。図２０（ｂ）は、図２０（ａ）の写真データを右に９０°回転させて表示した画面１０を示す図である。図２０（ｃ）は、図２０（ａ）の写真データを左に９０°回転させて表示した画面１０を示す図である。図２０（ｄ）は、図２０（ｂ）の写真データを右に９０°回転させて表示した画面１０を示す図である。
【００８９】
図２０に示すように、ユーザがリモコン４の黄色ボタンを押すたびに、表示部２８は、写真データＢを画面１０の右に９０°ずつ回転させて表示する。一方、ユーザがリモコン４の緑色ボタンを押すたびに、表示部２８は、写真データＢを画面１０の左に９０°ずつ回転させて表示する。
【００９０】
（表示モード切換メニュー）
テレビ１は、写真データの表示状態を、異なるいずれかの表示モードに従ったものに変更できる。ユーザがリモコン４のモード切換ボタンを押下すると、表示部２８は、４つのモード項目を含むモード切換メニューを画面１０の右下に表示する（図２１（ａ））。図２１（ａ）は、表示モード切換メニューを表示した画面１０を示す図である。なお、写真データをＤｏｔ  ｂｙ  Ｄｏｔによって表示できないときは、この項目を除いたメニューを画面１０の右下に表示する（図２１（ｂ））。図２１（ｂ）は、Ｄｏｔ  ｂｙ  Ｄｏｔ項目を非表示した表示モード切換メニューを表示した画面１０を示す図である。図２１（ａ）または図２１（ｂ）が表示されている状態で、リモコン４のモード切換ボタンもしくは上下ボタンを押下することにより、表示モードを順次切り換えることができる。
【００９１】
（各種の表示モードにしたがった表示例）
図２２（ａ）は、写真データをノーマル表示モード時に表示した場合の表示例を示す図である。この例では、表示部２８は、写真データを、縦横の比率を変えずに画面１０内に最大に収めるように、画面１０に表示する。図２２（ｂ）は、写真データをＤｏｔ  ｂｙ  Ｄｏｔ表示モード時に表示した場合の例を示す図である。この例では、表示部２８は、写真データのピクセルの数および縦横比を変えずに、元の大きさのまま画面１０に表示する。なお、表示部２８は、写真データのＤｏｔ  ｂｙ  Ｄｏｔ表示時に写真データを回転表示すると縦横方向にはみ出す場合には、操作ガイダンスのうち「緑」および「黄」を非表示にしてもよい。
【００９２】
図２２（ｃ）は、写真データをシネマ表示モード時に表示した場合の表示例を示す図である。この例では、表示部２８は、写真データを、写真データの縦横比を変えず、かつ、画面１０の黒帯を無くすように、画面１０内に最大に収めて表示する。このとき、写真データを必要に応じて拡大するため、一部を表示できない場合もある。図２２（ｄ）は、写真データをフル表示モード時に表示した場合の表示例を示す図である。この例では、表示部２８は、写真データの縦横比およびピクセルサイズを無視して、画面１０内に一杯にして表示する。
【００９３】
（画像処理コマンド）
テレビ１は、携帯電話機２から送信される各種のコマンドデータを受信し、当該受信したコマンドデータに定義されたコマンドに応じた画像処理を、表示中の写真データに対して実行できる。テレビ１が実行できるコマンドの一例を図２３に示す。図２３は、コマンド、パラメータ、および処理内容の説明の対応表である。この対応表は、テーブルデータとして、テレビ１にあらかじめ記憶されている。テレビ１では、コマンド解析部３２が、この対応表にしたがって、画像処理のコマンドを実行する。そして、実行結果にしたがって、展開済みデータ一時記憶部３８の展開済みデータを書き換える。これにより表示部２８は、コマンド実行によって改変された写真データを画面１０に表示する。
【００９４】
（テレビ表示中の写真データの受信および表示：第１の例）
上述したように、テレビ１は、放送されているテレビ番組を受信し、画面１０に表示する機能を有している。詳しくは次の通りである。チューナ１４はアンテナ１２を介して、テレビ番組のストリームを受信し、ＤＥＭＵＸ１６に出力する。ＤＥＭＵＸ１６は、入力されたストリームを音声データと映像データに分離し、音声データをＤＳＰ１８に出力する一方、映像データをデコード部２２に出力する。デコード部は入力された映像データを展開して、バッファメモリ３４に書き込む。これにより表示部２８は、バッファメモリ３４に記憶されている展開済み映像データを画面１０に表示する。一方、ＤＳＰ１８は音声データを音声信号に変換してから音声再生部２０に出力し、音声再生部２０は図示しないスピーカに音声信号を出力することによって、音声を発生させる。
【００９５】
このように、テレビ１は、さらに、放送中のテレビ番組を受信して処理する各種部材（チューナ１４など）をさらに備えており、表示部２８は、受信されたテレビ番組を画面１０に表示する。一般にテレビ１は放送番組の受信および再生を主に設計されるものなので、写真データの受信および表示のためのバッファメモリ３４やデコード部２２を別途設けることに、技術上および設計上の制約が強くかかる。しかしテレビ１では、これらの制約に縛られることなく、写真データを適切に受信しかつ再生できる機能を、通常のテレビ１機能に加えて兼ね備えることができる。
【００９６】
テレビ１は、テレビ番組の表示中に写真データの受信を検知した場合、直ちに、写真データの受信完了、デコード、および表示の各処理を実行することができる。この処理例を図２４に示す。図２４（ａ）〜図２４（ｆ）は、テレビ１がテレビ番組の表示中に写真データを受信するときにおける、画面１０の表示状態およびバッファメモリ３４の記憶状態についての第１の例を示す図である。
【００９７】
テレビ番組の受信中、バッファメモリ３４に、展開済みの映像データが記憶されている（図２４（ａ）の左）。これにより表示部２８は、展開済みの映像データをテレビ番組として画面１０に表示する（図２４（ａ）の右）。ここで、テレビ番組の表示中に、画像データ受信部２６がＩｒＳＳ受信（すなわち写真データの受信）を検知すると、デコード部２２はバッファメモリ３４を完全にクリアする（図２４（ｂ）の左）。このとき表示部２８が、画面１０からテレビ番組の表示を消す。さらに、写真データの受信中であることを伝えるメッセージを画面１０に表示する（図２４（ｂ）の右）。
【００９８】
画像データ受信部２６は写真データの受信を続け、随時、受信済みのデータを受信データ一時記憶部３６に書き込んでいく（図２４（ｃ）の左、４０に示す）。写真データの受信が途中の場合、表示部２８は、写真データの受信中であることを伝えるメッセージを画面１０に継続して表示する（図２４（ｃ）の右）。写真データの受信が完了した直後（図２４（ｄ）の左、４２に示す）も、表示部２８は、写真データの受信中であることを伝えるメッセージを画面１０に継続して表示する（図２４（ｄ）の右）。
【００９９】
写真データの受信完了後、デコード部２２は、受信データ一時記憶部３６に記憶されている写真データのデコードを開始する。そして、デコード済みのデータを随時、展開済みデータ一時記憶部３８に書き込んでいく（図２４（ｅ）の左、４４に示す）。デコードが途中の場合、表示部２８は、写真データのデコード中（展開中）であることを伝えるメッセージを画面１０に表示する（図２４（ｅ）の右）。なお、デコード処理が短時間で終了する場合には、デコード中であることを伝えるメッセージの表示は省略してもよい。写真データのデコードが完了したとき（図２４（ｆ）の左、４６に示す）、表示部２８は、展開済みデータ一時記憶部３８に展開された写真データを画面１０に表示する（図２４（ｆ）の右）。
【０１００】
以上のように、テレビ１において、テレビ番組の表示中に画像データ受信部２６が写真データの受信を完了したとき、表示部２８は、画面１０の表示をテレビ番組から受信した写真データに直ちに切り換える。これによりユーザは、テレビ番組の視聴中に、所望の写真データをすばやく閲覧できる。また、テレビ番組の表示中に画像データ受信部２６が写真データを受信しているとき、表示部２８は、写真データが受信中であることを伝えるメッセージを画面１０に表示する。これによりユーザは、写真データの受信が正常に進行していることを随時、確認できる。
【０１０１】
（テレビ表示中の写真データの受信および表示：第２の例）
また、テレビ１は、テレビ番組の表示中に写真データの受信を検知したとき、画面１０にはデコードした最後のフレームを表示し続け、かつ、写真データの受信中を伝えるメッセージを重ねて表示するようにしてもよい。このとき、写真データの受信およびデコードが完了したら、画面１０の表示をテレビ番組から写真データに切り換える。この処理例を図２５に示す。図２５（ａ）〜図２５（ｆ）は、テレビ１がテレビ番組の表示中に写真データを受信するときにおける、画面１０の表示状態およびバッファメモリ３４の記憶状態についての第２の例を示す図である。
【０１０２】
テレビ番組の受信中、バッファメモリ３４に、展開済みの映像データが記憶されている（図２５（ａ）の左）。これにより表示部２８は、展開済みの映像データをテレビ番組として画面１０に表示する（図２５（ａ）の右）。ここで、テレビ番組の表示中に、画像データ受信部２６がＩｒＳＳ受信（すなわち写真データの受信）を検知すると、デコード部２２はバッファメモリ３４を完全にクリアする（図２５（ｂ）の左）。しかし表示部２８は、画面１０に、デコード済みの最後のフレームを静止画として表示し続ける。さらに、当該フレームの上に、写真データの受信中であることを伝えるメッセージを重ねて表示する（図２５（ｂ）の右）。
【０１０３】
画像データ受信部２６は写真データの受信を続け、随時、受信済みのデータを受信データ一時記憶部３６に書き込んでいく（図２５（ｃ）の左、４０に示す）。写真データの受信が途中の場合、表示部２８は、最後のフレーム、および、写真データの受信中であることを伝えるメッセージを画面１０に継続して表示する（図２５（ｃ）の右）。写真データの受信が完了した直後（図２５（ｄ）の左、４２に示す）も、表示部２８は、最後のフレーム、および、写真データの受信中であることを伝えるメッセージを画面１０に継続して表示する（図２５（ｄ）の右）。
【０１０４】
写真データの受信完了後、デコード部２２は、受信データ一時記憶部３６に記憶されている写真データをデコードし始める。そして、デコード済みのデータを随時、展開済みデータ一時記憶部３８に書き込んでいく（図２５（ｅ）の左、４４に示す）。デコードが途中の場合、表示部２８は、最後のフレームを表示し続けると共に、写真データのデコード中（展開中）であることを伝えるメッセージを画面１０に表示する（図２５（ｅ）の右）。写真データのデコードが完了したとき（図２５（ｆ）の左、４６に示す）、表示部２８は、最後のフレームの表示を止め、代わりに、展開済みデータ一時記憶部３８に展開された写真データを画面１０に表示する（図２５（ｆ）の右）。
【０１０５】
以上のように、テレビ番組の表示中に画像データ受信部２６が写真データの受信を開始したとき、表示部２８は、テレビ番組の表示を停止すると共に、写真データの送信を促すメッセージを画面１０に表示する。これにより視聴中のテレビ番組がいきなり写真データの表示に切り換わることがないので、ユーザが戸惑うことを防止できる。
【０１０６】
（テレビ表示中の写真データの受信および表示：第３の例）
また、テレビ１は、テレビ番組の表示中に写真データの受信を検知したとき、まずＩｒＳＳ受信モードに切り換えてもよい。このとき写真データの受信を受け付け、受信した写真データをデコードし、画像を表示する手順を踏む。この処理例を図２６に示す。図２６（ａ）〜図２６（ｆ）は、テレビ１がテレビ番組の表示中に写真データを受信するときにおける、画面１０の表示状態およびバッファメモリ３４の記憶状態についての第３の例を示す図である。なお、ＩｒＳＳ受信モードへの切換トリガとして、ユーザがリモコン４を操作して入力切換メニューから選択した場合と、リモコン４の専用ボタンを押す場合とがある。さらに、携帯電話機２からのＩｒＳＳ受信を、トリガにしてもよい。
【０１０７】
テレビ番組の受信中、バッファメモリ３４に、展開済みの映像データが記憶されている（図２６（ａ）の左）。これにより表示部２８は、展開済みの映像データをテレビ番組として画面１０に表示する（図２６（ａ）の右）。ここで、テレビ番組の表示中に、画像データ受信部２６がＩｒＳＳ受信（すなわち写真データの受信）を検知すると、デコード部２２はバッファメモリ３４を完全にクリアする（図２６（ｂ）の左）。このときさらに、表示部２８が、映像データの表示を止め、代わりに、写真データの送信を促すメッセージを画面１０に表示する（図２６（ｂ）の右）。すなわちＩｒＳＳの待ちうけ画面を表示する。また、画像データ受信部２６は写真データの受信を中止する。
【０１０８】
図２６（ｂ）の右に示すメッセージを確認したユーザは、写真データの送信操作を再度実行する。これにより携帯電話機２は、写真データをテレビ１に再度送信する。画像データ受信部２６は写真データの受信を続け、随時、受信済みのデータを受信データ一時記憶部３６に書き込んでいく（図２６（ｃ）の左、４０に示す）。写真データの受信が途中の場合、表示部２８は、写真データの受信中であることを伝えるメッセージを画面１０に継続して表示する（図２６（ｃ）の右）。写真データの受信が完了した直後（図２６（ｄ）の左、４２に示す）も、表示部２８は、写真データ受信中を伝えるメッセージを画面１０に継続して表示する（図２６（ｄ）の右）。
【０１０９】
写真データの受信完了後、デコード部２２は、受信データ一時記憶部３６に記憶されている写真データをデコードし始める。そして、デコード済みのデータを随時、展開済みデータ一時記憶部３８に書き込んでいく（図２６（ｅ）の左、４４に示す）。デコードが途中の場合、表示部２８は、写真データのデコード中（展開中）であることを伝えるメッセージを画面１０に表示する（図２６（ｅ）の右）。写真データのデコードが完了したとき（図２６（ｆ）の左、４６に示す）、表示部２８は、展開済みデータ一時記憶部３８に展開された写真データを画面１０に表示する（図２６（ｆ）の右）。
【０１１０】
以上のように、テレビ番組の表示中に画像データ受信部２６が写真データの受信を開始したとき、表示部２８は、写真データの受信を受け付ける入力モードへの切り換えを促すメッセージを表示する。これにより、視聴中のテレビ番組がいきなり写真データの表示に切り換わることがないので、ユーザが戸惑うことを防止できる。
【０１１１】
（テレビ表示中には写真データの受信を受け付けない）
テレビ１は、テレビ番組の表示中には、写真データの受信を受け付けず、かつ、その旨を画面１０に表示するようにしてもよい。この例を図２７に示す。図２７（ａ）〜図２７（ｃ）は、テレビ番組を表示中に写真データを受信するときにおける、画面１０の表示およびバッファメモリ３４の状態についての第４の例を示す図である。
【０１１２】
テレビ番組の受信中、バッファメモリ３４に、展開済みの映像データが記憶されている（図２７（ａ）の左）。これにより表示部２８は、展開済みの映像データをテレビ番組として画面１０に表示する（図２７（ａ）の右）。ここで、テレビ番組の表示中に、画像データ受信部２７がＩｒＳＳ受信（すなわち写真データの受信）を検知したしても、デコード部２２は、バッファメモリ３４をクリアしない（図２７（ｂ）の左）。したがって表示部２８は、テレビ番組を表示し続ける。このときさらに、表示部２８は、写真データの受信および表示機能が使えないことを伝えるメッセージを、テレビ番組に上書き表示する（図２７（ｂ）の右）。このメッセージの表示後、規定の時間（数秒間）が経過すると、表示部２８はメッセージの表示を停止する。この間、バッファメモリ３４には展開済みの映像データが記憶され続けており、デコード部２２は、テレビ番組の表示を継続する。
【０１１３】
以上のようにテレビ番組の表示中に画像データ受信部２６が写真データの受信を開始したとき、表示部２８は、画面１０に、写真データの受信が不可であることを伝えるメッセージを表示する。これにより、テレビ番組の視聴を妨げることを防止できる。
【０１１４】
なお、本発明は上述した実施形態に限定されるものではなく、請求項に示した範囲において種々の変更が可能である。すなわち、請求項に示した範囲において適宜変更した技術的手段を組み合わせて得られる実施形態についても、本発明の技術的範囲に含まれる。
【０１１５】
たとえば、本発明の画像データ処理装置の実現形態は、テレビ１に限定されず、動画データを処理する部材を少なくとも１つ備えた画像データ処理装置であれば、どのようなものでもよい。たとえば、録画済の放送ストリームを再生する装置も、本発明の技術的に範囲に含まれる。
【０１１６】
さらに、テレビ１は、受信した写真データを外部に出力できないので、写真データの著作権を有効に保護できる。
【０１１７】
また、リモコン４の数字ボタンをユーザが押下すれば、テレビ１の表示部２８は、写真データの表示を終了する。これにより、画面１０から消した写真を再び表示させるようないたずらを防止できる。
【０１１８】
（プログラムおよび記録媒体）
最後に、テレビ１に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１１９】
すなわちテレビ１は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１２０】
この記録媒体は、上述した機能を実現するソフトウェアであるテレビ１のプログラムのプログラムコード（実行形式プログラム、中間コードプログラム、ソースプログラム）をコンピュータによって読み取り可能に記録していればよい。テレビ１に、この記録媒体を供給する。これにより、コンピュータとしてのテレビ１（またはＣＰＵやＭＰＵ）が、供給された記録媒体に記録されているプログラムコードを読み出し、実行すればよい。
【０１２１】
プログラムコードをテレビ１に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１２２】
また、テレビ１を通信ネットワークと接続可能に構成しても、本発明の目的を達成できる。この場合、上記のプログラムコードを、通信ネットワークを介してテレビ１に供給する。この通信ネットワークはテレビ１にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１２３】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送によって具現化された、搬送波に埋め込まれたコンピュータデータ信号の形態でも実現され得る。
【産業上の利用可能性】
【０１２４】
本発明は、画像データを受信して表示する機能と、動画データを処理する機能とを兼ね備えた装置（たとえばテレビ）として幅広く利用できる。
【図面の簡単な説明】
【０１２５】
【図１】本発明の一実施形態に係るテレビの要部構成を示すブロック図である。
【図２】本発明の一実施形態に係るシステムの要部構成を示すブロック図である。
【図３】入力切換メニューを表示した画面を示す図である。
【図４】写真データの送信を促すメッセージを表示した画面を示す図である。
【図５】テレビにおける写真データの受信処理の流れを示すフローチャートである。
【図６】写真データの受信中を伝えるメッセージを表示した画面を示す図である。
【図７】テレビにおける写真データのデコード処理の流れを示すフローチャートである。
【図８】写真データの表示不可を伝えるメッセージを表示した画面を示す図である。
【図９】写真データおよび操作ガイダンスを表示した画面を示す図である。
【図１０】エラーの内容とエラーメッセージとの対応表である。
【図１１】写真データの受信中止を伝えるメッセージを表示したを表示した画面を示す図である。
【図１２】写真データの処理機能の使用不可を伝えるメッセージを表示した画面を示す図である。
【図１３】ＩｒＳＳエラーを伝えるメッセージを表示した画面を示す図である。
【図１４】写真データの表示中に操作ガイダンスを消去した状態の画面を示す図である。
【図１５】受信済みの写真データＡに、新たな写真データＢの受信中を伝えるメッセージを重ねて表示した画面を示す図である。
【図１６】受信済みの写真データＡに、新たな写真データＢの受信中止を伝えるメッセージを重ねて表示した画面を示す図である。
【図１７】受信済みの写真データＡに、新たな写真データＢの表示不可を伝えるメッセージを重ねて表示した画面を示す図である。
【図１８】新たな写真データＢおよび操作ガイダンスを表示した画面を示す図である。
【図１９】ｏｒｉｅｎｔａｔｉｏｎタグの値と、値に応じた表示処理の内容との対応表である。
【図２０】（ａ）は、写真データをそのまま表示した画面を示す図であり、（ｂ）は、（ａ）の写真データを右に９０°回転させて表示した画面を示す図であり、（ｃ）は、（ａ）の写真データを左に９０°回転させて表示した画面を示す図であり、（ｄ）は、（ｂ）の写真データを右に９０°回転させて表示した画面を示す図である。
【図２１】（ａ）は、表示モード切換メニューを表示した画面を示す図であり、（ｂ）は、Ｄｏｔ  ｂｙ  Ｄｏｔ項目を非表示した表示モード切換メニューを表示した画面を示す図である。
【図２２】（ａ）は、写真データをノーマル表示モード時に表示した場合の表示例を示す図であり、（ｂ）は、写真データをＤｏｔ  ｂｙ  Ｄｏｔ表示モード時に表示した場合の例を示す図であり、（ｃ）は、写真データをシネマ表示モード時に表示した場合の表示例を示す図であり、（ｄ）は、写真データをフル表示モード時に表示した場合の表示例を示す図である。
【図２３】コマンド、パラメータ、および処理内容の説明の対応表である。
【図２４】（ａ）〜（ｆ）は、テレビがテレビ番組の表示中に写真データを受信するときにおける、画面の表示状態およびバッファメモリの記憶状態についての第１の例を示す図である。
【図２５】（ａ）〜（ｆ）は、テレビがテレビ番組の表示中に写真データを受信するときにおける、画面の表示状態およびバッファメモリの記憶状態についての第２の例を示す図である。
【図２６】（ａ）〜（ｆ）は、テレビがテレビ番組の表示中に写真データを受信するときにおける、画面の表示状態およびバッファメモリの記憶状態についての第３の例を示す図である。
【図２７】（ａ）〜（ｃ）は、テレビ番組を表示中に写真データを受信するときにおける、画面の表示状態およびバッファメモリの記憶状態についての第４の例を示す図である。
【符号の説明】
【０１２６】
１  テレビ（画像データ処理装置）
２  携帯電話機
４  リモコン
６  ＩｒＳＳ受光部
８  リモコン受光部
１０  画面
１２  アンテナ
１４  チューナ
１６  ＤＥＭＵＸ
１８  ＤＳＰ
２０  音声再生部
２２  デコード部（デコード手段、削除手段）
２４  制御信号受信部
２６  画像データ受信部（受信手段）
２８  表示部（表示手段）
３０  画像情報解析部（画像情報解析手段）
３２  コマンド解析部
３４  バッファメモリ
３６  受信データ一時記憶部
３８  展開済みデータ一時記憶部
【図１】
2008205653.tif 000003
【図２】
2008205653.tif 000004
【図３】
2008205653.tif 000005
【図４】
2008205653.tif 000006
【図５】
2008205653.tif 000007
【図６】
2008205653.tif 000008
【図７】
2008205653.tif 000009
【図８】
2008205653.tif 000010
【図９】
2008205653.tif 000011
【図１０】
2008205653.tif 000012
【図１１】
2008205653.tif 000013
【図１２】
2008205653.tif 000014
【図１３】
2008205653.tif 000015
【図１４】
2008205653.tif 000016
【図１５】
2008205653.tif 000017
【図１６】
2008205653.tif 000018
【図１７】
2008205653.tif 000019
【図１８】
2008205653.tif 000020
【図１９】
2008205653.tif 000021
【図２０】
2008205653.tif 000022
【図２１】
2008205653.tif 000023
【図２２】
2008205653.tif 000024
【図２３】
2008205653.tif 000025
【図２４】
2008205653.tif 000026
【図２５】
2008205653.tif 000027
【図２６】
2008205653.tif 000028
【図２７】
2008205653.tif 000029